(57)【特許請求の範囲】
【請求項１】
浴槽のフランジ前垂部と、防水パンの堤防間に立設されるエプロンであって、該エプロンは、前記フランジ前垂部の下端と前記堤防間の寸法とほぼ同じ寸法に設定されているとともに、該エプロンの下端中央部には垂れ部が垂設され、該垂れ部を、洗い場側から前記堤防中央部の切欠凹部内に納めた状態で、該切欠凹部上に掛け渡し状にして前記堤防上に堤防カバーを洗い場側より設置して該堤防カバーにてエプロンを持ち上げ、該堤防カバーの浴槽側先端はエプロンの垂れ部に当接状となって、エプロンの上端を前記浴槽のフランジ前垂部に差込み固定することを特徴とするエプロンの固定方法。
【発明の詳細な説明】
【０００１】
【産業上の利用分野】
この発明は、浴槽のエプロンの固定方法に関するものである。
【０００２】
【従来の技術及びその課題】
従来、特開平１１−３１３７７３号公報に開示されている浴槽エプロンの固定構造は、図２３に断面図で示すように構成されており、防水パン５１の堤防部５１ａと、浴槽５２のフランジ５２ａ間に、立設状にエプロン５３を取り付ける場合に、予め浴槽５２側に支持部５４を固定させておき、また、エプロン５３の下端には固定具５５を固定しておき、この固定具５５を、浴槽側の支持部５４に引っ掛けてエプロン５３を固定しており、このような従来構造では、予め浴槽側には支持部５４を設け、エプロン５３の下端には固定具５５を取り付けておく必要があり、これら部材５４，５５の取付作業が面倒であり、また、部品点数も多くなり、しかも、引っ掛け状態でエプロン５３を固定しているために、エプロン５３の固定強度が不安定となりやすいという問題点があった。
【０００３】
【課題を解決するための手段】
本発明は上記従来の問題点に鑑み案出したものであって、部品点数を少なくして、容易に、しかも安定した強度でエプロンを取り付けることのできる取付方法を提供せんことを目的とし、その要旨は、浴槽のフランジ前垂部と、防水パンの堤防間に立設されるエプロンであって、該エプロンは、前記フランジ前垂部の下端と前記堤防間の寸法とほぼ同じ寸法に設定されているとともに、該エプロンの下端中央部には垂れ部が垂設され、該垂れ部を、洗い場側から前記堤防中央部の切欠凹部内に納めた状態で、該切欠凹部上に掛け渡し状にして前記堤防上に堤防カバーを洗い場側より設置して該堤防カバーにてエプロンを持ち上げ、該堤防カバーの浴槽側先端はエプロンの垂れ部に当接状となって、エプロンの上端を前記浴槽のフランジ前垂部に差込み固定することである。
【０００４】
【実施例】
以下、本発明の実施例を図面に基づいて説明する。
図１は、エプロンを取り付ける前の斜視構成図であり、ユニットバスの底面は図２に示すような防水パンで構成されており、防水パン１には、浴槽設置面２と洗い場３が形成されて、その中間には、仕切り状に立ち上げて堤防４が形成されており、堤防４の中央部には切欠状に凹ませて切欠凹部５が形成され、切欠凹部５の底面に排水口６が開口されており、また、堤防４上に突出して突起４ａ，４ａが一体形成されたものとなっている。
【０００５】
浴槽設置面２上に設置された浴槽７は、図４の縦断面図で示すように、上端に略水平状にフランジ７ａが形成され、フランジ７ａの外端で下方へ垂下状に前垂部７ｂが一体形成されており、この前垂部７ｂと、前記防水パン１の堤防４間の寸法はＨ１となっており、この前垂部７ｂと堤防４間に立設されるエプロン９は、図５の正面図で示すように、その高さ寸法Ｈ２が、前記Ｈ１の寸法とほぼ同じ寸法に設定されており、エプロン９が浴槽の前垂部７ｂと堤防４間に納まる寸法に設定されている。
また、エプロン９の下端中央部には、下方へ突出して垂れ部９ｄが一体形成されている。
【０００６】
図３の概略平面図で示すように、ユニットバスの壁面に沿ってカウンター８が設置されているような場合には、図３のように、カウンター８と浴槽７間にエプロン９の右端側を差込み状にして、この状態でエプロン９の左端側を浴槽７側に嵌め込むのである。
【０００７】
エプロン９の固定作業を順を追って以下に説明すると、先ず、図６及び図７では、前記図５におけるＡ−Ａ線断面の部分を示しており、エプロン９の上端には係止段部９ａが形成されて、係止段部９ａから浴槽側へ水平に突出して上端水平片９ｂが一体形成されており、また、エプロン９の下端には、浴槽側へ水平状に突出した下端水平片９ｃが形成され、この下端水平片９ｃの中央部に、下方側へ垂下状に前記垂れ部９ｄが一体形成されたものとなっている。
この垂れ部９ｄを、防水パン１の堤防４の中央部に形成されている切欠凹部５内に洗い場３側から嵌め込んで、図６のようにエプロンの下端水平片９ｃを堤防４上に置き、上端水平片９ｂは前垂部７ｂの裏側へ配置させておき、この状態でエプロン９を図７に示すように、上方へ持ち上げて、エプロン９の下端水平片９ｃと堤防４間に、洗い場３側からＬ字状断面の堤防カバー１０を嵌め込む。
【０００８】
即ち、この堤防カバー１０は、その左右両端側を堤防４，４上に載せて、切欠凹部５の上面に掛け渡し状に、容易に洗い場３側から差し込むことができ、この堤防カバー１０の厚み分だけエプロン９は上昇した状態となり、この状態でエプロン９の係止段部９ａが前垂部７ｂの下端に係合して、前垂部７ｂに差込み状にエプロン９の上端が固定されるものであり、堤防カバー１０の浴槽７側先端はエプロン９の垂れ部９ｄに当接状となって、堤防カバー１０によりエプロン９の洗い場３側への移動が阻止された状態となる。
さらに、洗い場３側の段部１２上に目皿１１を設置することにより、目皿１１で堤防カバー１０の洗い場３側への移動を防ぎ、エプロン９の洗い場３側への移動を完全に防ぐことができるものとなる。
【０００９】
次に、図８及び図９では、図５のＢ−Ｂ線断面図を示しており、エプロン９が上方へ持ち上げられる前の状態が図８であり、前述した如く持ち上げられた状態が図９である。
エプロン９が持ち上げられた状態では、エプロン９の上端が浴槽フランジの前垂部７ｂに差込み状に固定されるが、この状態でエプロン９の下端水平片９ｃが突起４ａ，４ａに当接した状態となり、この当接状態で位置決めが成されて、エプロン９の下端が浴槽７側へ移動することが防がれた状態となる。これによりエプロン９は浴槽７側へも移動することがなく、また、洗い場３側へも前述した如く移動することが阻止されて、良好な固定状態で取り付けられるものである。
【００１０】
従って、洗い場３側から図３のように右端側をカウンター８と浴槽７間に差し込んで、左端を浴槽７側へ回して、垂れ部９ｄを切欠凹部５内に嵌め込んで、良好にエプロン９を浴槽の前垂部７ｂと防水パン１の堤防４間に立設させることができ、この状態でエプロン９を持ち上げて、その下端に堤防カバー１０を嵌め込んで容易に取り付けることができ、良好な固定状態が得られるものとなる。
逆に、エプロン９を取り外す時には、目皿１１を取り外し、堤防カバー１０を取り外すことにより、エプロン９が下方側へ移動して、容易に堤防４上から洗い場３側へ抜き取ることができるものとなる。
【００１１】
なお、図９に示すように、エプロン９の下端水平片９ｃと堤防４の上面間には隙間Ｓが形成されてしまうため、図１０に示すように、エプロン９の下端水平片９ｃにパッキン１３を嵌め込んでおき、このパッキン１３で良好に隙間Ｓを埋めてシールすることができるものとなる。
なお、図１０のように、パッキン１３は、エプロンの下端水平片９ｃに嵌め込むことのできるコの字状断面に形成し、また、堤防４の端縁に沿って洗い場３側へ垂下する垂れ片１３ａを形成させておくと、良好なシール性が確保されるものとなる。
【００１２】
次に、図１１において正面図で示すエプロン９は第２実施例であり、この図１１のエプロン９は、図１２において側面図で、また図１３においてＡ−Ａ線断面図で、また図１４においてＢ−Ｂ線断面図で示すように、下端中央部には前述した垂れ部９ｄが形成されており、この垂れ部９ｄの左右側において、洗い場３側の面から垂下状に位置決め片９ｅ，９ｅが一体状に垂設された構造となっており、このような構造のエプロン９においても、その係止段部９ａと下端水平片９ｃ間の上下寸法Ｈ２は、浴槽フランジの前垂部７ｂと堤防４間の寸法Ｈ１とほぼ同じ寸法に設定されて、容易に取り付けできるように構成されている。
【００１３】
このような形状のエプロン９では、防水パン１側に突起４ａを形成させておく必要はなく、突起の存在しない堤防４を有する防水パン１を用い、エプロン９の垂れ部９ｄは、堤防４の切欠凹部５内に洗い場３側から入れて、図１３のように垂れ部９ｄは堤防４の浴槽７側へ配置させておき、位置決め片９ｅを堤防４の洗い場端縁に当接させて、良好に位置決めしてエプロン９の下端の移動を阻止することができるものとなる。
その他、エプロン９を上方へ持ち上げて、その下端に堤防カバー１０を嵌め込んで固定する構成は、第１実施例のものと同様であり、容易にエプロン９の取り付け，取り外しを行なうことができるものとなり、カウンター８が存在しても邪魔になることなく良好にエプロン９の着脱を行なうことができるものである。
【００１４】
次に、図１５は第３実施例のエプロンの正面図を示すものであり、図１６では、その側面図を、また図１７ではＡ−Ａ線断面図を、また図１８ではＢ−Ｂ線断面図を示す。
即ち、第３実施例のエプロン９においては、上端水平片９ｂの中央部に、上方へ突出して上端引っ掛け部９ｆが図１９のように形成されており、また、図２０で示すように、下端水平片９ｃには、下方側へ楔状に突出して下端引っ掛け部９ｇが形成されたものである。
このような構造のエプロン９においては、エプロン９を持ち上げた時に、図２２に示すように、浴槽７のフランジ前垂部９ｂの裏側に上端引っ掛け片９ｆが引っ掛かって、上端側が強固な固定状態となり、また、エプロン９の下端側においては、図２１に示すように、堤防の突起４ａの浴槽側に下端引っ掛け部９ｇ，９ｇが引っ掛かった状態となり、これによりエプロン９の下端側の移動が阻止されて良好な固定状態が得られるものである。
【００１５】
なお、図１５に示す下端の垂れ部９ｄと左右の下端引っ掛け部９ｇ，９ｇ間に、防水パンの堤防の突起４ａ，４ａが嵌まり込む状態となるため、この状態でエプロン９の左右側への移動も完全に阻止されて、より良好なエプロン９の固定状態が得られるものとなり、本例においても、エプロンを所定位置に配置させて上方へ持ち上げ、下端側に堤防カバー１０を嵌め込んで良好に固定することができ、さらに目皿１１を設置して、より良好な固定状態を維持することができるものとなり、カウンター８が存在しても邪魔になることがなく、エプロン９の着脱作業を容易に行なうことができるものとなる。
【００１６】
【発明の効果】
本発明は、浴槽のフランジ前垂部と、防水パンの堤防間に立設されるエプロンであって、該エプロンは、前記フランジ前垂部の下端と前記堤防間の寸法とほぼ同じ寸法に設定されているとともに、該エプロンの下端中央部には垂れ部が垂設され、該垂れ部を、洗い場側から前記堤防中央部の切欠凹部内に納めた状態で、該切欠凹部上に掛け渡し状にして前記堤防上に堤防カバーを洗い場側より設置して該堤防カバーにてエプロンを持ち上げ、該堤防カバーの浴槽側先端はエプロンの垂れ部に当接状となって、エプロンの上端を前記浴槽のフランジ前垂部に差込み固定することにより、エプロン下端の垂れ部を堤防の切欠凹部内に洗い場側から嵌め込み、その状態でエプロンを上方に持ち上げて、切欠凹部上に掛け渡し状にして堤防上に堤防カバーを嵌め込むことにより、エプロンを良好な固定状態とすることができ、取り付けが容易であり、堤防カバーによりエプロンの洗い場側への移動が阻止された状態となる。また、取り外しの際には、堤防カバーを取り外すことにより容易に取り外し作業を行なうことができ、カウンターが存在してもエプロンの着脱作業が容易なものとなる。
【図面の簡単な説明】
【図１】  カウンターが存在する場合の浴槽エプロンの取付け前の斜視構成図である。
【図２】  防水パンの斜視構成図である。
【図３】  エプロンの取付作業を示す平面構成図である。
【図４】  浴槽の設置状態の縦断面構成図である。
【図５】  エプロンの正面構成図である。
【図６】  図５におけるＡ−Ａ線断面状態におけるエプロンの立設縦断面構成図である。
【図７】  図６の状態からエプロンを持ち上げて下端に堤防カバーを差し込んで固定した状態の縦断面構成図である。
【図８】  図５におけるＢ−Ｂ線断面におけるエプロンの立設状態図である。
【図９】  エプロンを持ち上げた状態のＢ−Ｂ線断面における固定状態図である。
【図１０】  エプロンの下端にパッキンを設けてシールする場合の要部縦断面構成図である。
【図１１】  第２実施例のエプロンの正面構成図である。
【図１２】  図１１の側面構成図である。
【図１３】  図１１のＡ−Ａ線断面図である。
【図１４】  図１１のＢ−Ｂ線断面図である。
【図１５】  第３実施例のエプロンの正面構成図である。
【図１６】  図１５の側面構成図である。
【図１７】  図１５のＡ−Ａ線断面図である。
【図１８】  図１５のＢ−Ｂ線断面図である。
【図１９】  エプロンの上端の斜視構成図である。
【図２０】  エプロンの下端側の要部斜視構成図である。
【図２１】  エプロンの下端を堤防の突起に引っ掛けた固定状態の縦断面構成図である。
【図２２】  エプロンの固定状態の縦断面構成図である。
【図２３】  従来のエプロンの取付状態の縦断面構成図である。
【符号の説明】
１  防水パン
２  浴槽設置面
３  洗い場
４  堤防
４ａ  突起
５  切欠凹部
６  排水口
７  浴槽
７ａ  フランジ
７ｂ  前垂部
８  カウンター
９  エプロン
９ａ  係止段部
９ｂ  上端水平片
９ｃ  下端水平片
９ｄ  垂れ部
９ｅ  位置決め片
９ｆ  上端引っ掛け部
９ｇ  下端引っ掛け部
１０  堤防カバー
１１  目皿
【図１】
0004101477.tif 000002
【図２】
0004101477.tif 000003
【図３】
0004101477.tif 000004
【図４】
0004101477.tif 000005
【図５】
0004101477.tif 000006
【図６】
0004101477.tif 000007
【図７】
0004101477.tif 000008
【図８】
0004101477.tif 000009
【図９】
0004101477.tif 000010
【図１０】
0004101477.tif 000011
【図１１】
0004101477.tif 000012
【図１２】
0004101477.tif 000013
【図１３】
0004101477.tif 000014
【図１４】
0004101477.tif 000015
【図１５】
0004101477.tif 000016
【図１６】
0004101477.tif 000017
【図１７】
0004101477.tif 000018
【図１８】
0004101477.tif 000019
【図１９】
0004101477.tif 000020
【図２０】
0004101477.tif 000021
【図２１】
0004101477.tif 000022
【図２２】
0004101477.tif 000023
【図２３】
0004101477.tif 000024